(57)【要約】【課題】外部装置（ＤＡＰ）からのコンテンツの更新が、コンテンツ管理装置（ＰＣ）からの更新より後であっても、コンテンツ管理装置からのコンテンツの転送が防止されること。【解決手段】ＣＰＵ２は、ＤＡＰ１０１との再接続時、ＤＡＰ１０１でのコンテンツの更新日時と、転送リストに記載されているコンテンツ転送時のＤＡＰの日時と、の差分時間であるＤＡＰ差分時間を算出する。また、ＣＰＵ２は、ＰＣ１でのコンテンツの更新日時と、転送リストに記載されているコンテンツ転送時のＰＣ１の日時と、の差分時間であるＰＣ差分時間を算出する。また、ＣＰＵ２は、ＰＣ差分時間がＤＡＰ差分時間よりも大きくない場合に、コンテンツをＤＡＰ１０１に転送しない。【選択図】図４
2019003307.tif 000002
【特許請求の範囲】
【請求項１】
外部装置と通信するための通信インターフェースと、
制御部と、を備え、
前記制御部は、
前記外部装置にコンテンツを転送する場合、コンテンツ転送時の自装置の日時と、コンテンツ転送時の前記外部装置の日時と、を記載した転送リストを、前記外部装置に転送し、
前記外部装置との再接続時、前記外部装置でのコンテンツの更新日時と、前記転送リストに記載されているコンテンツ転送時の前記外部装置の日時と、の差分時間である第１差分時間を算出し、
自装置でのコンテンツの更新日時と、前記転送リストに記載されているコンテンツ転送時の自装置の日時と、の差分時間である第２差分時間を算出し、
前記第２差分時間が前記第１差分時間よりも大きくない場合に、コンテンツを前記外部装置に転送しないことを特徴とするコンテンツ管理装置。
【請求項２】
前記制御部は、前記第２差分時間が前記第１差分時間よりも大きい場合に、コンテンツを前記外部装置に転送することを特徴とする請求項１に記載のコンテンツ管理装置。
【請求項３】
請求項１又は２に記載のコンテンツ管理装置と、
コンテンツを記憶する外部装置と、
を備えることを特徴とするコンテンツ管理システム。
【請求項４】
外部装置と通信するための通信インターフェースと、
制御部と、を備えるコンピュータの前記制御部に、
前記外部装置にコンテンツを転送する場合、コンテンツ転送時の自装置の日時と、コンテンツ転送時の前記外部装置の日時と、を記載した転送リストの、前記外部装置への転送、
前記外部装置との再接続時、前記外部装置でのコンテンツの更新日時と、前記転送リストに記載されているコンテンツ転送時の前記外部装置の日時と、の差分時間である第１差分時間の算出、
自装置でのコンテンツの更新日時と、前記転送リストに記載されているコンテンツ転送時の自装置の日時と、の差分時間である第２差分時間の算出、
前記第２差分時間が前記第１差分時間よりも大きくない場合に、コンテンツを前記外部装置への未転送、を実行させるためのコンテンツ管理プログラム。
【発明の詳細な説明】
【技術分野】
【０００１】
本発明は、コンテンツを管理するコンテンツ管理装置、コンテンツ管理プログラム、及び、コンテンツ管理システムに関する。
【背景技術】
【０００２】
パーソナルコンピューター（以下、「ＰＣ」という。）を、音楽、静止画、動画等のコンテンツを管理するコンテンツ管理装置として機能させる、コンテンツ管理プログラムがある（例えば、特許文献１参照。）。コンテンツ管理プログラムは、ＰＣに記憶されているコンテンツを管理する。また、コンテンツ管理プログラムは、ＰＣに接続されるデジタルオーディオプレーヤー（以下、「ＤＡＰ」という。）に記憶されているコンテンツを管理する。ＰＣとＤＡＰとは、ＭＴＰ（Media Transfer Protocol）通信により、通信を行う場合がある。
【０００３】
ＰＣからＤＡＰに転送したコンテンツのタグが、ＰＣ側で修正される場合がある。タグが修正されたコンテンツは、ＤＡＰがＰＣに接続された際に、自動でＤＡＰにコピーされることが好ましい。この動作を実現する最も単純な方法は、ＤＡＰに記憶されているコンテンツのサイズと、ＰＣに記憶されているコンテンツのサイズと、を比較する方法である。サイズが異なっていれば、ＰＣからＤＡＰにコンテンツのコピーを行えばよい。しかしながら、タグの編集が行われた際に、いくつかのオーディオフォーマットでは、サイズの変更がなされないことがある。
【０００４】
次に考え得る方法は、更新日時の比較である。ＤＡＰに記憶されているコンテンツの更新日時を取得し、ＰＣに記憶されているコンテンツの更新日時との比較を行い、ＰＣに記憶されているコンテンツの更新日時が新しければ、更新がなされたコンテンツとみなし、転送を行えばよい。ただし、この方法では、ＭＴＰ通信では、ＤＡＰに記憶されているコンテンツの更新日時が、ＤＡＰの更新日時となるため、仮にＤＡＰとＰＣとの時間がずれていた場合に、誤判定が生じてしまう。
【先行技術文献】
【特許文献】
【０００５】
【特許文献１】特開２００９−２４５５８７号公報
【発明の概要】
【発明が解決しようとする課題】
【０００６】
上述の問題を解決するために、ＰＣからの転送時にコンテンツとあわせて、転送したコンテンツのＰＣ側の更新日時を記載したリストを転送し、再送時には、転送リストとＰＣに記憶されているコンテンツの日時を比較するということが考えられる。
【０００７】
しかし、上述の方法であっても、ＤＡＰとＰＣとから同じコンテンツを修正していた場合に、ＤＡＰからの修正が、ＰＣからの修正より後であっても、ＰＣからの転送が行われてしまう、という問題を含んでいる。
【０００８】
本発明の目的は、外部装置（ＤＡＰ）からのコンテンツの更新が、コンテンツ管理装置（ＰＣ）からの更新より後であっても、コンテンツ管理装置からのコンテンツの転送が防止されることである。
【課題を解決するための手段】
【０００９】
第１の発明のコンテンツ管理装置は、外部装置と通信するための通信インターフェースと、制御部と、を備え、前記制御部は、前記外部装置にコンテンツを転送する場合、コンテンツ転送時の自装置の日時と、コンテンツ転送時の前記外部装置の日時と、を記載した転送リストを、前記外部装置に転送し、前記外部装置との再接続時、前記外部装置でのコンテンツの更新日時と、前記転送リストに記載されているコンテンツ転送時の前記外部装置の日時と、の差分時間である第１差分時間を算出し、自装置でのコンテンツの更新日時と、前記転送リストに記載されているコンテンツ転送時の自装置の日時と、の差分時間である第２差分時間を算出し、前記第２差分時間が前記第１差分時間よりも大きくない場合に、コンテンツを前記外部装置に転送しないことを特徴とする。
【００１０】
本発明では、制御部は、外部装置との再接続時、外部装置でのコンテンツの更新日時と、転送リストに記載されているコンテンツ転送時の外部装置の日時と、の差分時間である第１差分時間を算出する。また、制御部は、自装置でのコンテンツの更新日時と、転送リストに記載されているコンテンツ転送時の自装置の日時と、の差分時間である第２差分時間を算出する。ここで、第２差分時間が、第１差分時間よりも大きくない場合、外部装置でのコンテンツの更新の方が、コンテンツ管理装置でのコンテンツの更新よりも後である。このため、制御部は、第２差分時間が第１差分時間よりも大きくない場合に、コンテンツを外部装置に転送しない。これにより、外部装置からのコンテンツの更新が、コンテンツ管理装置からの更新より後であっても、コンテンツ管理装置からのコンテンツの転送が防止される。
【００１１】
第２の発明のコンテンツ管理装置は、第１の発明のコンテンツ管理装置において、前記制御部は、前記第２差分時間が前記第１差分時間よりも大きい場合に、コンテンツを前記外部装置に転送することを特徴とする。
【００１２】
第２差分時間が、第１差分時間よりも大きい場合、コンテンツ管理装置でのコンテンツの更新の方が、外部装置でのコンテンツの更新よりも後である。このため、本発明では、制御部は、第２差分時間が第１差分時間よりも大きい場合に、コンテンツを外部装置に転送する。これにより、最新状態のコンテンツが、外部装置に記憶される。
【００１３】
第３の発明のコンテンツ管理システムは、第１又は第２の発明のコンテンツ管理装置と、コンテンツを記憶する外部装置と、を備えることを特徴とする。
【００１４】
第４の発明のコンテンツ管理プログラムは、外部装置と通信するための通信インターフェースと、制御部と、を備えるコンピュータの前記制御部に、前記外部装置にコンテンツを転送する場合、コンテンツ転送時の自装置の日時と、コンテンツ転送時の前記外部装置の日時と、を記載した転送リストの、前記外部装置への転送、前記外部装置との再接続時、前記外部装置でのコンテンツの更新日時と、前記転送リストに記載されているコンテンツ転送時の前記外部装置の日時と、の差分時間である第１差分時間の算出、自装置でのコンテンツの更新日時と、前記転送リストに記載されているコンテンツ転送時の自装置の日時と、の差分時間である第２差分時間の算出、前記第２差分時間が前記第１差分時間よりも大きくない場合に、コンテンツを前記外部装置への未転送、を実行させる。
【発明の効果】
【００１５】
本発明によれば、外部装置からのコンテンツの更新が、コンテンツ管理装置からの更新より後であっても、コンテンツ管理装置からのコンテンツの転送が防止される。
【図面の簡単な説明】
【００１６】
【図１】本発明の実施形態に係るコンテンツ管理システムの構成を示すブロック図である。
【図２】転送リスト等を示す図である。
【図３】転送リスト等を示す図である。
【図４】コンテンツ転送時のＰＣの処理動作を示すフローチャートである。
【発明を実施するための形態】
【００１７】
（コンテンツ管理システム）
以下、本発明の実施形態について説明する。図１は、本実施形態に係るコンテンツ管理システム３００の構成を示すブロック図である。コンテンツ管理システム３００は、コンテンツ管理装置として機能するパーソナルコンピューター（以下、「ＰＣ」という。）１と、デジタルオーディオプレーヤー（以下、「ＤＡＰ」という。）１０１と、を備える。
【００１８】
（ＰＣ）
ＰＣ１は、記憶部５に記憶されているコンテンツ管理プログラムＰが実行されることにより、コンテンツを管理するコンテンツ管理装置として機能する。ＰＣ１は、ＣＰＵ（Central Processing Unit）２、ＲＯＭ（Read Only Memory）３、ＲＡＭ（Random Access Memory）４、記憶部５、表示部６、操作部７、ＵＳＢインターフェース（以下、「ＵＳＢ  Ｉ／Ｆ」という。）８、ネットワークインターフェース（以下、「ＮＷ  Ｉ／Ｆ」という。）９、スピーカー１０を備える。なお、コンテンツ管理プログラムＰは、工場出荷時にＰＣ１の記憶部５に記憶されていてもよいし、後述するＮＷ  Ｉ／Ｆ９を介して、図示しないサーバーからダウンロードされ、ＰＣ１の記憶部５に記憶されていてもよい。
【００１９】
ＣＰＵ２（制御部）は、制御プログラム、ＯＳ（Operating System）プログラム、コンテンツ管理プログラムＰを含むアプリケーションプログラムに従って、ＰＣ１を構成する各部を制御する。
【００２０】
ＲＯＭ３は、制御プログラムを記憶する。ＲＡＭ４は、ＣＰＵ２の主メモリとして機能する。記憶部５は、ＯＳプログラム、コンテンツ管理プログラムＰを含むアプリケーションプログラム等のプログラム、音楽、静止画、動画等のコンテンツを記憶するＨＤＤ（Hard Disc Drive）である。なお、記憶部５は、例示する構成に限られず、ＳＳＤ（Solid State Drive）等であってもよい。
【００２１】
表示部６は、種々の画像（静止画、動画を含む）を表示するものであり、例えば、液晶ディスプレイである。操作部７は、キーボードやマウス等から構成されており、各種設定、コンテンツの転送指示等を行うためのものである。ユーザーは、操作部７を介して、コンテンツ管理プログラムＰの実行、ＤＡＰ１０１へのコンテンツの転送指示等を行うことが可能である。ＵＳＢ  Ｉ／Ｆ８（通信インターフェース）は、ＤＡＰ１０１とＵＳＢ規格に対応した通信を行うためのインターフェースである。ＰＣ１は、ＵＳＢ  Ｉ／Ｆ８を介して、ＤＡＰ１０１と通信を行うことが可能である。ＮＷ  Ｉ／Ｆ９は、図示しないネットワークを介してインターネットに接続するためのインターフェースである。ＰＣ１は、ＮＷ  Ｉ／Ｆ９を介して、他の端末と通信等を行うことが可能である。スピーカー１０は、ＣＰＵ２から出力される音声信号に基づいて、音楽等の種々の音声を出力する。
【００２２】
（ＤＡＰ）
ＤＡＰ１０１（外部装置）は、ヘッドホン２００にアナログオーディオデータを出力する。ヘッドホン２００は、アナログオーディオデータに基づいて、音声を外部に出力する。ＤＡＰ１０１は、ＣＰＵ１０２、ＲＯＭ１１４、ＲＡＭ１１５、記憶部１０３、メモリーカード１０４、１０５、表示部１０６、操作部１０７、ＤＳＰ（Digital Signal Processor）１０８、Ｄ／Ａコンバーター（以下、「ＤＡＣ」という。）１０９、増幅器１１０、１１１、無線モジュール１１２、ＵＳＢインターフェース（以下、「ＵＳＢ  Ｉ／Ｆ」という。）１１３を備える。
【００２３】
ＣＰＵ１０２は、制御プログラム、ＯＳプログラム、アプリケーションプログラムに従って、ＤＡＰ１０１を構成する各部を制御する。ＲＯＭ１１４は、制御プログラムを記憶する。ＲＡＭ１１５は、ＣＰＵ１０２の主メモリとして機能する。記憶部１０３は、ＯＳプログラム、アプリケーションプログラム等のプログラム、コンテンツ等の各種データを記憶するフラッシュメモリである。なお、記憶部１０３は、例示する構成に限られず、ＨＤＤ（Hard Disk Drive）等であってもよい。
【００２４】
メモリーカード１０４、１０５は、コンテンツを記憶する。メモリーカード１０４、１０５は、例えば、ｍｉｃｒｏＳＤカードである。表示部１０６は、種々の画像（静止画像、動画像を含む）を表示するものであり、液晶パネルにより構成されている。操作部１０７は、各種設定を行うための操作キー、及び、表示部１０６と連動したタッチパネルを備えている。ユーザーは、操作部１０７を介して、各種の文字入力、設定などを行うことが可能である。また、ユーザーは、操作部１０７を介して、外部サーバーからコンテンツをダウンロードすることが可能である。ダウンロードされたコンテンツは、記憶部１０３、メモリーカード１０４、１０５のいずれかのストレージに記憶される。
【００２５】
ＤＳＰ１０８は、デジタルオーディオデータ（コンテンツ）に、イコライザー処理等の信号処理を行う。ＤＡＣ１０９は、デジタルオーディオデータをアナログオーディオデータにＤ／Ａ変換する。増幅器１１０、１１１は、ＤＡＣ１０９がＤ／Ａ変換したアナログオーディオデータを増幅し、ヘッドホン２００に出力する。無線モジュール１１２は、Ｂｌｕｅｔｏｏｔｈ（登録商標）規格、Ｗｉ−Ｆｉ規格に従った無線通信を行うためのものである。ＤＡＰ１０１は、無線モジュール１１２を介して、外部サーバーと通信可能である。ＵＳＢ  Ｉ／Ｆ１１３は、ＵＳＢ規格に従った通信を行うためのものである。ＤＡＰ１０１は、ＵＳＢ  Ｉ／Ｆ１１３を介して、ＰＣ１と通信を行うことが可能である。
【００２６】
ＰＣ１は、記憶部１０３、メモリーカード１０４、１０５に記憶されているコンテンツを管理する。ＰＣ１とＤＡＰ１０１とは、ＵＳＢケーブルによって接続される。ＰＣ１とＤＡＰ１０１とは、ＭＴＰ通信により、通信を行う。
【００２７】
ＰＣ１のＣＰＵ２は、コンテンツのＤＡＰ１０１への転送時に、コンテンツと、転送リストと、を転送する。ＣＰＵ２は、コンテンツ転送時のＰＣ１の日時を転送リストに記載する。また、ＣＰＵ２は、コンテンツ転送時のＤＡＰ１０１の日時を転送リストに記載する。図２は、転送リスト等を示す図である。図２に示すように、転送リストには、転送時のＰＣ１の日時と、転送時のＤＡＰ１０１の日時と、が記載されている。ここで、ＰＣ１とＤＡＰ１０１とで時刻が２時間ずれている（ＤＡＰ１０１の時刻がＰＣ１よりも２時間遅れている）とする。次に、ＰＣ１での時刻１０：００に、ＰＣ１に記憶されているコンテンツの更新が行われたとする（２）。また、ＤＡＰ１０１での時刻１３：００に、ＤＡＰ１０１に記憶されているコンテンツの更新が行われたとする（３）。そして、ＰＣ１での時刻１２：００、ＤＡＰ１０１での時刻１４：００にＰＣ１とＤＡＰ１０１とが接続されたとする（４）。
【００２８】
ここで、ＣＰＵ２は、ＤＡＰ１０１のコンテンツの更新日時と、転送リストに記載されている転送日時と、を比較し、この差分時間（以下、「ＤＡＰ差分時間」（第１差分時間）という。）を算出する。なお、簡単のため、更新日時等を分単位としているが、秒単位であることが好ましい。ＤＡＰ１０１のコンテンツの更新日時は、１３：００であり、転送日時は、１１：００であるため、ＣＰＵ２は、ＤＡＰ差分時間＋２を算出する。また、ＣＰＵ２は、転送リストから前回転送したときのＰＣ１の転送日時を取得し、ＰＣ１のコンテンツの更新日時との差分時間（以下、「ＰＣ差分時間」（第２差分時間）という。）を算出する。前回転送したときのＰＣ１の転送日時は、９：００であり、ＰＣ１のコンテンツの更新日時は、１０：００であるため、ＣＰＵ２は、ＰＣ差分時間＋１を算出する。そして、ＣＰＵ２は、ＤＡＰ差分時間と、ＰＣ差分時間と、を比較し、ＰＣ差分時間が、ＤＡＰ差分時間よりも大きければ、コンテンツの再送を行う。ここでは、ＰＣ差分時間（＋１）は、ＤＡＰ差分時間（＋２）よりも小さいため、ＣＰＵ２は、再送を行わない。
【００２９】
図３は、転送リスト等を示す図である。図３に示すように、転送リストには、転送時のＰＣ１での日時と、転送時のＤＡＰ１０１の日時と、が記載されている。ここで、ＰＣ１とＤＡＰ１０１とで時刻が２時間ずれている（ＰＣ１の時刻がＤＡＰ１０１よりも２時間遅れている）とする。次に、ＤＡＰ１０１での時刻１０：００に、ＤＡＰ１０１に記憶されているコンテンツの更新が行われたとする（２）。また、ＰＣ１での時刻１３：００に、ＰＣ１に記憶されているコンテンツの更新が行われたとする（３）。そして、ＰＣ１での時刻１４：００、ＤＡＰ１０１での時刻１２：００にＰＣ１とＤＡＰ１０１とが接続されたとする（４）。
【００３０】
まず、ＣＰＵ２は、ＤＡＰ１０１のコンテンツの更新日時と、転送リストに記載されている転送日時と、を比較し、ＤＡＰ差分時間を算出する。ＤＡＰ１０１のコンテンツの更新日時は、１０：００であり、転送日時は、９：００であるため、ＣＰＵ２は、ＤＡＰ差分時間＋１を算出する。また、ＣＰＵ２は、転送リストから前回転送したときのＰＣ１の転送日時を取得し、ＰＣ１のコンテンツの更新日時との差分時間を算出する。前回転送したときのＰＣ１の更新日時は、１１：００であり、ＰＣ１のコンテンツの更新日時は、１３：００であるため、ＣＰＵ２は、ＰＣ差分時間＋２を算出する。そして、ＣＰＵ２は、ＤＡＰ差分時間と、ＰＣ差分時間と、を比較し、ＰＣ差分時間が、ＤＡＰ差分時間よりも大きければ、コンテンツの再送を行う。ここでは、ＰＣ差分時間（＋２）は、ＤＡＰ差分時間（＋１）よりも大きいため、ＣＰＵ２は、再送を行う。
【００３１】
以下、コンテンツ転送時のＰＣ１の処理動作を、図４に示すフローチャートに基づいて説明する。ＰＣ１のＣＰＵ２は、ＤＡＰ１０１から、ＤＡＰ１０１内のコンテンツ一覧、ＤＡＰ１０１側のコンテンツの更新日時、転送リストを取得する（Ｓ１）。次に、ＣＰＵ２は、ＤＡＰ差分時間を算出していないコンテンツがあるか否かを判断する（Ｓ２）。ＣＰＵ２は、ＤＡＰ差分時間を算出していないコンテンツがあると判断した場合（Ｓ２：Ｙｅｓ）、ＤＡＰ側のコンテンツの更新日時と、転送リスト内のＤＡＰ１０１側の転送時の日時と、から、ＤＡＰ差分時間を算出する（Ｓ３）。次に、ＣＰＵ２は、ＰＣ１側の更新日時と、転送リスト内のＰＣ１側の転送時の日時と、から、ＰＣ差分時間を算出する（Ｓ４）。
【００３２】
次に、ＣＰＵ２は、ＤＡＰ差分時間と、ＰＣ差分時間と、を比較し、ＰＣ差分時間が、ＤＡＰ差分時間よりも大きいか否かを判断する（Ｓ５）。ＣＰＵ２は、ＰＣ差分時間が、ＤＡＰ差分時間よりも大きいと判断した場合（Ｓ５：Ｙｅｓ）、コンテンツを転送する（Ｓ６）。次に、ＣＰＵ２は、転送リストに、転送時のＰＣ１側の日時と、転送時のＤＡＰ１０１の日時と、を記載する（Ｓ７）。ＣＰＵ２は、Ｓ７の処理の後、又は、ＤＡＰ差分時間が、ＰＣ差分時間よりも大きいと判断した場合（Ｓ５：Ｎｏ）、Ｓ２の処理を行う。従って、ＣＰＵ２は、コンテンツを転送しない。
【００３３】
ＣＰＵ２は、ＤＡＰ差分時間を算出していないコンテンツがないと判断した場合（Ｓ２：Ｎｏ）、新しく転送するコンテンツがあるか否かを判断する（Ｓ８）。ＣＰＵ２は、新しく転送するコンテンツがあると判断した場合（Ｓ８：Ｙｅｓ）、Ｓ６の処理を行う。ＣＰＵ２は、新しく転送するコンテンツがないと判断した場合（Ｓ８：Ｎｏ）、ＤＡＰ１０１に転送リストを転送する（Ｓ９）。
【００３４】
以上説明したように、本実施形態では、ＣＰＵ２は、ＤＡＰ１０１との再接続時、ＤＡＰ１０１でのコンテンツの更新日時と、転送リストに記載されているコンテンツ転送時のＤＡＰ１０１の日時と、の差分時間であるＤＡＰ差分時間を算出する。また、ＣＰＵ２は、ＰＣ１でのコンテンツの更新日時と、転送リストに記載されているコンテンツ転送時のＰＣ１の日時と、の差分時間であるＰＣ差分時間を算出する。ここで、ＰＣ差分時間が、ＤＡＰ差分時間よりも大きくない場合、ＤＡＰ１０１でのコンテンツの更新の方が、ＰＣでのコンテンツの更新よりも後である。このため、ＣＰＵ２は、ＰＣ差分時間がＤＡＰ差分時間よりも大きくない場合に、コンテンツをＤＡＰ１０１に転送しない。これにより、ＤＡＰ１０１からのコンテンツの更新が、ＰＣ１からの更新より後であっても、ＰＣ１からのコンテンツの転送が防止される。
【００３５】
ＰＣ差分時間が、ＤＡＰ差分時間よりも大きい場合、ＰＣ１でのコンテンツの更新の方が、ＤＡＰ１０１でのコンテンツの更新よりも後である。このため、本実施形態では、ＣＰＵ２は、ＰＣ差分時間がＤＡＰ差分時間よりも大きい場合に、コンテンツをＤＡＰ１０１に転送する。これにより、最新状態のコンテンツが、ＤＡＰ１０１に記憶される。
【００３６】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３７】
上述の実施形態においては、外部装置として、ＤＡＰ１０１を例示した。これに限らず、スマートフォン、タブレット等であってもよい。
【産業上の利用可能性】
【００３８】
本発明は、コンテンツを管理するコンテンツ管理装置、コンテンツ管理プログラム、及び、コンテンツ管理システムに好適に採用され得る。
【符号の説明】
【００３９】
１  ＰＣ（コンテンツ管理装置）
２  ＣＰＵ（制御部）
８  ＵＳＢ  Ｉ／Ｆ（通信インターフェース）
１０１  ＤＡＰ（外部装置）
３００  コンテンツ管理システム
Ｐ  コンテンツ管理プログラム
【図１】
2019003307.tif 000003
【図２】
2019003307.tif 000004
【図３】
2019003307.tif 000005
【図４】
2019003307.tif 000006